(57)【要約】【課題】  電気的安全性を高めるべく小サイズの回転可能プラグを有する電力アダプタを提供すること。【解決手段】  電力アダプタは、本体と、回転可能のプラグとを有する。本体は、取付座と、２つの伝導端子とを有する。取付座は本体から突出し、伝導端子は取付座に取り付けられている。プラグは、本体に取り外し可能に及び回転可能に取り付られており、また２つのプロングと、２つのコンタクト片と、取付凹所とを有する。コンタクト片は、プラグの内側に取り付けられており、プロングに固定されて、本体の伝導端子に接触している。取付凹所は、プラグに形成されて、本体の取付座を内部に保持している。それゆえに、プラグは、本体がリセプタクルの妨げにならないように、プロングを適宜な向きに調整すべく選択的に向けることができる。また、プラグは、電力アダプタがリセプタクルに安定に差し込まれて電気的に安定となるような小さいサイズを有する。【選択図】図１
2012155871.tif 000002
【特許請求の範囲】
【請求項１】
底面、該底面から突出する取付セット、及び該取付座に取り付けられた２つの伝導端子を備える本体と、
前記本体に取り外し可能に及び回転可能に取り付けられたプラグであって、該プラグの外に突出する２つのプロング、該プラグの内側に位置されて、前記プロングに固定され、前記本体の前記伝導端子に接触する２つのコンタクト片、及び前記プラグに形成され、前記本体の取付セットに対応されかつ該取付座を内部に保持する取付凹所を有するプラグとを含む、電力アダプタ。
【請求項２】
前記本体の取付座は、Ｘ字状の形状を有しており、また底面、中央プレート、該中央プレートから放射状に突出する４つの翼、前記本体の底面と各翼との間に形成されたギャップ、及び前記取付座の底面に別々に形成された２つの溝であって、前記中央プレートの２つの対向する側部に配置され、隣り合う２つの翼に形成されて該翼を延び、前記伝導端子が取り付けられた溝とを有し、
前記取付凹所は、Ｘ字状の形状を有し、また前記本体の取付座の中央プレートを内側に保持する中央凹所、該中央凹所から放射状に形成されかつ側壁を有する４つのチャンネル、及び該チャンネルの側壁を通って形成された４つのノッチであって、前記チャンネルに受け入れられた本体の取付セットの翼が前記プラグの内側に位置するように該ノッチを通ることを許すノッチとを有する、請求項１に記載の電力アダプタ。
【請求項３】
各コンタクト片は、該コンタクト片から突出して前記本体の伝導端子の１つと接触する突出アームを有する、請求項１に記載の電力アダプタ。
【請求項４】
各コンタクト片は、該コンタクト片から突出して前記本体の伝導端子の１つに接触する突出アームを有する、請求項２に記載の電力アダプタ。
【請求項５】
前記本体は、さらに、該本体の底面に形成された弾性舌片を有し、
該弾性舌片は、前記取付セットの近くの自由端と、該自由端から突出するロッキングブロックであって前記プラグの取付凹所のチャンネルの１つに選択的にロックされるロッキングブロックとを有する、請求項２に記載の電力アダプタ。
【請求項６】
前記本体は、さらに、該本体の底面に形成された弾性舌片を有し、
該弾性舌片は、前記取付セットの近くの自由端と、該自由端から延びて前記プラグの取付凹所のチャンネルの１つに選択的にロックされるロッキングブロックを有する、請求項４に記載の電力プラグ。
【請求項７】
前記プラグは、さらに、ベースであって、外面と、該ベースを通して形成された２つのスロットとを有するベースと、
該ベースに対応されて該ベースを覆うカバーであって、外面、及び該カバーの外面に形成された取付凹所を有するカバーとを有し、
前記プラグの各プロングは、前記スロットに通されており、また前記スロットに配置されて前記コンタクト片に固定された内端と、前記ベースの外面の外に突出する外端とを有する、請求項１から６のいずれか１項に記載の電力アダプタ。
【請求項８】
前記本体の取付セットは、該取付セットの底面から突出する２つの導電性ロッドを備え、
各伝導端子は、前記導電性ロッドの１つの周りに形成されて該ロッドに接触するコンタクトホールを有し、前記導電性ロッドは、前記コンタクトホールの外に突出し、
前記プラグの取付凹所は、該取付凹所に同軸的に形成された環状凹所を有し、前記本体の取付セットの導電性ロッドは、前記環状凹所に該環状凹所に沿って活動可能に取り付けられている、請求項７に記載の電力アダプタ。
【発明の詳細な説明】
【技術分野】
【０００１】
本発明は、電力アダプタに関し、特に回転可能プラグを有する電力アダプタに関する。
【背景技術】
【０００２】
従来の電力アダプタは、内部に取り付けられたトランスと、該トランスに固定的に取り付けられた２つの差し込み部すなわちプロング（prongs）とを有する。トランスとプロングとは、互いに電気的に接続されている。プロングは、電力を電気デバイスに伝達すべくコンセントすなわち電力出口の差し込み口すなわちリセプタクルに差し込まれる。しかし、トランスが取り付けられた本体は比較的嵩張り、プロングは本体に固定されて本体に関して調整不能である。それゆえに、本体は、使用時に、電力ソケットの他のリセプタクルを塞ぎ、電力出口の他のリセプタクルを制限する。
【０００３】
図１０を参照するに、従来の他の電力アダプタは、本体４０と、プラグ５０とを含む。プラグ５０は、本体４０に取り外し可能に及び回転可能に取り付けられており、また２つのプロング５１を有する。プラグ５０は、使用において本体４０がソケットの妨げにならず、しかもソケットを制限しないように、プロング５１を適宜な方向調整のために選択的に向けられる。しかし、本体４０及びプラグ５０の両者は、比較的嵩張る。プラグ５０のプロング５１が鉛直に配置された電力出口に差し込まれるとき、プラグ５０及び本体４０はプロングに関して長いモーメントアームのように作用し、またプロング５１は大きい重量となる。それゆえに、電力アダプタは電力出口６０から外れ、電気的安全性が低減する。
【発明の概要】
【発明が解決しようとする課題】
【０００４】
上記の短所を解決するために、本発明は、上記問題を軽減する又は除去する回転可能のプラグを有する電力アダプタを提供する。
【０００５】
本発明の主たる目的は、電気的安全性を高めるべく小サイズの回転可能プラグを有する電力アダプタを提供することにある。
【課題を解決するための手段及び発明の効果】
【０００６】
上記目的を達成するために、本発明に係る回転可能プラグ付き電力アダプタは、本体とプラグとを含む。本体は、底面と、取付セットすなわち取付座と、２つの伝導端子とを有する。取付座は、本体の底面から突出している。両伝導端子は、取付座に取り付けられている。プラグは、本体に取り外し可能に及び回転可能に取り付けられており、また２つのプロングを有する。プロングは、プラグの外に突出している。コンタクト片は、プラグの内側に取り付けられており、また本体の伝導端子に接触している。取付片は、プラグの頂面に形成されており、また本体の取付セットを内側に保持している。それゆえに、プラグは、本体がリセプタクルの妨げにならないように、プロングを本体に対し適宜な方向に調節すべく選択的に方向付けられ、電気的安全性が高められる。さらに、プラグは、電力アダプタがリセプタクルに安定に差し込まれて、電気的安全性が高められるように、小サイズとされている。
【０００７】
本発明の他の目的、利点及び特徴は、以下の図面を参照する詳細な説明から明らかになろう。
【図面の簡単な説明】
【０００８】
【図１】本発明に従う回転可能プラグ付き電力アダプタの一実施例を示す斜視図。
【図２】図１に示す電力アダプタの拡大分解斜視図。
【図３】図１に示す電力アダプタの拡大断面図。
【図４】図１に示す電力アダプタの２つの導電性ロッド、２つの伝導端子及びプラグの頂面を拡大して示す図。
【図５】プラグを図４に示す状態から角度的に回転させた状態を示す図。
【図６】図１に示す電力アダプタの導電性ロッド、伝導端子及びプラグの斜視図。
【図７】図１に示す電力アダプタの導電性ロッド、伝導端子及びプラグの拡大平面図であって、プラグが本体に異なる方向に位置された状態を示す図。
【図８】図１に示す電力アダプタの一部の拡大底面図であって、プラグが異なる方向に向けられた状態を示す図。
【図９】図１に示す電力アダプタの側面図であって、電力出口に差し込まれた状態を示す図。
【図１０】従来の電力アダプタを電力出口に差し込まれた状態で示す側面図。
【発明を実施するための形態】
【０００９】
図１を参照するに、本発明に従う回転可能のプラグを有する電力アダプタは、本体１０とプラグ２０とを含む。
【００１０】
本体１０は、中空であり、またトランスと、底面と、取付セットすなわち取付座１１と、２つの導電性ロッド１２と、２つの伝導端子１３と、弾性舌片１４とを有する。トランスは本体１０の内部に配置されている。取付座１１は、本体１０の前記底面から突出しており、またＸ字状の形状を有している。取付座１１は、底面と、中央プレート１１１と、４つの翼１１２と、２つの溝１１３とを有する。翼１１２は中央プレート１１１から放射状に延びており、また本体１０の底面と各翼１１２との間にギャップを形成している。溝１１３は、取付座１１の底面に別々に形成されている。溝１１３は中央プレート１１１の２つの対向側部にそれぞれ位置されている。各溝１１３は、隣り合う２つの翼１１２にそれらの翼１１２を延びる状態に形成されており、また溝面を有する。両導電性ロッド１２は、取付座１１の溝１１３の溝面から延びており、またトランスに電気的に接続されている。各伝導端子１３は、対応する取付座１１の溝１１３に据え付けられており、また第１の端と、第２の端と、コンタクトホール１３１とを有する。各コンタクトホール１３１は、対応する導電性ロッド１２の周りに備えられており、またそのロッド１２に接触している。導電性ロッド１２は、伝導端子１３のコンタクトホール１３１の外に突出している。各弾性舌片１４は、本体１０の底面に形成されており、また自由端とロッキングブロック１４１とを有する。該自由端は取付座１１の近くにあり、ロッキングブロック１４１は自由端から突出している。
【００１１】
プラグ２０は、本体１０に取り外し可能に及び回転可能に組み付けられており、またベース２１と、２つの差し込み部すなわちプロング２２と、２つのコンタクト片２３と、カバー２４とを有する。ベース２１は、内面と、外面と、２つのスロット２１１と、２つの突部２１２とを有する。スロット２１１は、ベース２１を貫通して形成されている。突部２１２は、ベース２１の内面から突出しており、またスロット２１１にそれぞれ接近されている。プロング２２は、ベース２１のスロット２１１を貫通して、互いに平行に延びている。各プロング２２は、内端部と外端部とを有する。内端部は、ベース２１のスロット２１１に位置されている。外端部は、ベース２１の外面からベース２１の外部に突出している。コンタクト片２３は、ベース２１の内部に配置されており、またプロング２２の内端部にそれぞれ固定されて、本体１０の伝導端子１３にそれぞれ接触している。各コンタクト片２３は、突出アーム２３１と、連結ホール２３２とを有する。突出アーム２３１は、コンタクト片２３から突出して上方へ延びており、また本体１０の対応する伝導端子１３に接触している。連結ホール２３２は、コンタクト片２３に貫通状態に形成されており、またプロング２２をベース２１に確実に取り付けるべく、ベース２１の対応する突部２１２を内側に保持している。カバー２４は、カバー２４とベース２１との間に空間を形成するように、ベース２１に対応しかつベース２１を覆っている。カバー２４は、外面と取付凹所２４１とを有する。取付凹所２４１は、カバー２４の外面にＸ字状に形成されており、また本体１０の取付座１１に対応されて、対応する取付座１１を内側に保持している。取付凹所２４１は、中央凹所２４２と、環状凹所２４３と、４つのチャンネル２４４と、４つの窪みすなわちノッチ２４５とを有する。中央凹所２４２は、本体１０の取付座１１の中央プレート１１１を内側に保持しており、また凹面を有する。環状凹所２４３は中央凹所２４２の凹面に同心的に形成されており、本体１０の導電性ロッド１２は環状凹所２４２内に及び環状凹所２４２に沿って滑動可能に位置されている。チャンネル２４４は、中央凹所２４２から放射状に延びている。各チャンネル２４４は側壁を有している。１つのチャンネル２４４は、弾性トング１４のロッキングブロック１４１を内側の保持している。ノッチ２４５は、チャンネル２４４の側壁に形成されており、またチャンネル２４４に受け入れられた本体１０の取付座１１の翼１１２がノッチ２４５を通ってベース２１とカバー２４との間のチャンバーに位置されることを許す。
【００１２】
図４を参照するに、プラグ２０が本体１０に組み付けられるとき、取付座１１の中央プレート１１１が取付凹所２４１の中央凹所２４２におかれ、取付座１１の各翼１１２が取付凹所２４２のチャンネル２４４におかれる。その間、弾性舌片１４のロッキングブロック１４１は、カバー２４の外面により押圧される。さらに図５及び６を参照するに、次いで、プラグ２０が本体１０に対し角度的に回転されて、導電性ロッド１２が取付凹所２４１の環状凹所２４３に沿ってスライドし、取付座１１の翼１１２が、取付凹所２４１のノッチ２４５を通って、ベース２１とカバー２４との間のチャンバーに位置される。プラグ２０は、弾性舌片１４が取付凹所２４１のチャンネル２４４の１つにロックすなわち係合するまで、回転される。その上、各コンタクト片２３の突出アーム２３１は伝導端子１３の一端に接触される。これにより、本体１０とプラグ２０とは、電気デバイスに電力を供給すべくプラグ２０の各プロング２２を電力出口の差し込み口すなわちリセプタクルに差し込むことができるように、組み立てられる。
【００１３】
プラグ２０は、上記手順と逆の操作を実行することにより、本体１０から分離することができる。弾性舌片１４は、弾性舌片１４のロッキングブロック１４１が取付凹所２４１の対応するチャンネル２４４から外れるように、押圧され、プラグ２０は、取付座１１の翼１１２が取付凹所２４１のノッチ２４５を通って取付凹所２４１のチャンネル２４４に入るように、本体１０に対し逆に回転される。これにより、プラグ２０を本体１０から取り外すことができる。
【００１４】
図７を参照するに、プラグ２０が本体１０に組み付けられるとき、プラグ２０は、取付座１１のウイング１１２を取付凹所２４１の異なるチャンネル２４４に位置させ、各コンタクト片２３を伝導端子１３の他端部に接触させることにより、異なる向きとなるように調節することができる。本発明に従う電力アダプタは、図８に示すように本体１０に関して２つの方向に向けることができる、プラグ２０のプロング２２を提供する。それゆえに、プラグ２０のプロング２２を適宜な方向に向けるように調節することができ、また本体は同じ電力出口の他のリセプタクルを塞がず、さらに全てのリセプタクルを完全に使用することができる。
【００１５】
さらに図９を参照するに、本体１０の取付座１１とプラグ２０の取付凹所２４１との組み合わせで、プラグ２０は、従来のプラグに比較して、小サイズに設計することができる。プラグ２０のプロング２２が垂直に配置された電力出口３０に差し込まれるとき、プラグ２０と本体１０とは、プラグ２０のプロング２２に関して短いモーメントアームの機能を持つことになり、プロング２２は軽量になる。それゆえに、本発明に従う電力アダプタは、電気的安全性を確実にしかつ安全に電力出口３０に差し込むことができる。
【産業上の利用可能性】
【００１６】
本発明の多くの特徴及び利点を発明の構造及び特徴と共に上記に説明したが、それらの説明は単なる例である。詳細には、特に部品の形状、サイズ、配置等に関して、添付の特許請求の範囲により規定される一般的に広い意味の用語により指示される広さの本発明の範囲の中において、種々変更することができる。
【符号の説明】
【００１７】
１０  本体
１１  取付座
１２  導電性ロッド
１３  伝導端子
１４  弾性舌片
２０  プラグ
２１  ベース
２２  プロング
２３  コンタクト片
２４  カバー
１１１  中央プレート
１１２  翼
１１３  溝
１３１  コンタクトホール
１４１  ロッキングブロック
２１１  スロット
２１２  突部
２３１  突出アーム
２３２  連結ホール
２４１  取付凹所
２４２  中央凹所
２４３  環状凹所
２４４  チャンネル
２４５  ノッチ
【図１】
2012155871.tif 000003
【図２】
2012155871.tif 000004
【図３】
2012155871.tif 000005
【図４】
2012155871.tif 000006
【図５】
2012155871.tif 000007
【図６】
2012155871.tif 000008
【図７】
2012155871.tif 000009
【図８】
2012155871.tif 000010
【図９】
2012155871.tif 000011
【図１０】
2012155871.tif 000012